(57)【要約】  【課題】  装置を大型化することなく、製造コストをかけずに消費電力を低減することができる画像表示装置を提供する。  【解決手段】  画像表示手段６に画像表示された画像データを画像表示手段６に新たに画像表示させる画像データに変換するためのルックアップテーブルが生成できるか否かを判断するルックアップテーブル判断手段７と、ルックアップテーブルが生成できると判断されたときに、ルックアップテーブル記憶手段２に記憶されたルックアップテーブルをルックアップテーブル判断手段７によって生成できると判断されたルックアップテーブルに変更するルックアップテーブル変更手段８と、ルックアップテーブルが生成できないと判断されたときに、画像データ記憶手段４に記憶された画像データを画像表示手段６に新たに画像表示させるための画像データに更新する画像データ更新手段９とを備える。【選択図】  図１
2006189564.tif 000002
【特許請求の範囲】
【請求項１】
色を変換するためのルックアップテーブルを記憶するルックアップテーブル記憶手段と、
データバスを介して送信された画像データを記憶する画像データ記憶手段と、
前記画像データ記憶手段に記憶された画像データに含まれる各画素の色を表す色情報を前記ルックアップテーブルに基づいて変換する色情報変換手段と、
前記色情報変換手段によって色情報が変換された画像データを画像表示する画像表示手段と、
前記画像表示手段に画像表示された画像データを前記画像表示手段に新たに画像表示させる画像データに変換するためのルックアップテーブルが生成できるか否かを判断するルックアップテーブル判断手段と、
前記ルックアップテーブルが生成できると前記ルックアップテーブル判断手段によって判断されたときに、前記ルックアップテーブル記憶手段に記憶されたルックアップテーブルを前記ルックアップテーブル判断手段によって生成できると判断されたルックアップテーブルに変更するルックアップテーブル変更手段と、
前記ルックアップテーブルが生成できないと前記ルックアップテーブル判断手段によって判断されたときに、前記画像データ記憶手段に記憶された画像データを前記画像表示手段に新たに画像表示させるための画像データに更新する画像データ更新手段とを備えることを特徴とする画像表示装置。
【請求項２】
前記ルックアップテーブル変更手段は、前記ルックアップテーブルが生成できないと前記ルックアップテーブル判断手段によって判断され、かつ、前記ルックアップテーブル変更手段によって変更されたルックアップテーブルが前記ルックアップテーブル記憶手段に記憶されている場合には、前記ルックアップテーブル記憶手段に記憶されたルックアップテーブルを変更前のルックアップテーブルに戻すことを特徴とする請求項１に記載の画像表示装置。
【発明の詳細な説明】
【技術分野】
【０００１】
本発明は、画像を表示する画像表示装置に関し、例えば、携帯電話等の携帯端末に搭載される画像表示装置に関するものである。
【背景技術】
【０００２】
一般に、液晶パネルなどを備えた画像表示装置において、画像データは、表示画面にちらつきが生じないように定められたリフレッシュ周期で繰り返してデータバスを介して画像メモリ（Video RAM、以下単に「ＶＲＡＭ」と記載する。）に転送され画像表示される。近年、表示画面のサイズの大型化および解像度の高精細化が進み、画像データのサイズが増加する傾向にあるため、画像データを伝送するデータバスのトラフィックが増加し、消費電力が増加する傾向にある。
【０００３】
従来の画像表示装置は、図５に示すように、画像データを画像出力する画素アレイ部１１と、画素アレイ部１１の表示領域が区分されたブロックのうち１つのブロックに画像データを格納するアドレスデコーダ１２、１３と、ＶＲＡＭ１４と、ＶＲＡＭコントローラ１５とを備え、ＶＲＡＭコントローラ１５は、システムバス１６を介してＣＰＵ（Central Processing Unit）１７および周辺回路１８と信号の送受を行い、ＣＰＵ１７から送られる画像データをＶＲＡＭ１４に書き込み、ＶＲＡＭ１４からブロック単位で画像データを取り出し、このブロックの座標を示すアドレスデータとともに画像データをアドレスデコーダ１２、１３に出力する（例えば、特許文献１参照）。
【０００４】
このように、従来の画像表示装置は、ブロック毎に画像表示の更新の要否を判断し、更新の必要があると判断したブロックの画像表示を更新することによって、消費電力を低減していた。
【特許文献１】特開２００２−１５６９５３号公報（第４頁、第５図）
【発明の開示】
【発明が解決しようとする課題】
【０００５】
しかしながら、従来の画像表示装置においては、画像表示の更新の要否に応じて、ブロック毎に走査信号の供給または停止を行う必要があるため、装置が大型化し、製造コストがかかるといった問題があった。
【０００６】
本発明は、従来の問題を解決するためになされたもので、装置を大型化することなく、製造コストをかけずに消費電力を低減することができる画像表示装置を提供することを目的とする。
【課題を解決するための手段】
【０００７】
本発明の画像表示装置は、色を変換するためのルックアップテーブルを記憶するルックアップテーブル記憶手段と、データバスを介して送信された画像データを記憶する画像データ記憶手段と、前記画像データ記憶手段に記憶された画像データに含まれる各画素の色を表す色情報を前記ルックアップテーブルに基づいて変換する色情報変換手段と、前記色情報変換手段によって色情報が変換された画像データを画像表示する画像表示手段と、前記画像表示手段に画像表示された画像データを前記画像表示手段に新たに画像表示させる画像データに変換するためのルックアップテーブルが生成できるか否かを判断するルックアップテーブル判断手段と、前記ルックアップテーブルが生成できると前記ルックアップテーブル判断手段によって判断されたときに、前記ルックアップテーブル記憶手段に記憶されたルックアップテーブルを前記ルックアップテーブル判断手段によって生成できると判断されたルックアップテーブルに変更するルックアップテーブル変更手段と、前記ルックアップテーブルが生成できないと前記ルックアップテーブル判断手段によって判断されたときに、前記画像データ記憶手段に記憶された画像データを前記画像表示手段に新たに画像表示させるための画像データに更新する画像データ更新手段とを備えた構成を有している。
【０００８】
この構成により、本発明の画像表示装置は、新たに画像表示させるための画像データを更新する代わりにルックアップテーブルを変更することによって、画像データを伝送するデータバスのトラフィックを低減させるため、装置を大型化することなく、製造コストをかけずに消費電力を低減することができる。
【０００９】
なお、前記ルックアップテーブル変更手段は、前記ルックアップテーブルが生成できないと前記ルックアップテーブル判断手段によって判断され、かつ、前記ルックアップテーブル変更手段によって変更されたルックアップテーブルが前記ルックアップテーブル記憶手段に記憶されている場合には、前記ルックアップテーブル記憶手段に記憶されたルックアップテーブルを変更前のルックアップテーブルに戻すように構成してもよい。
【００１０】
この構成により、本発明の画像表示装置は、ルックアップテーブルの変更が必要ない場合は、変更前のルックアップテーブルに基づいて色情報を変更するため、予め調整されたルックアップテーブルを維持することができる。
【発明の効果】
【００１１】
本発明は、装置を大型化することなく、製造コストをかけずに消費電力を低減することができる画像表示装置を提供するものである。
【発明を実施するための最良の形態】
【００１２】
以下、本発明の実施の形態について、図面を参照して説明する。
【００１３】
本発明の一実施の形態の画像表示装置を図１に示す。
【００１４】
画像表示装置１は、色を変換するためのルックアップテーブルを記憶するルックアップテーブル記憶手段２と、データバス３を介して送信された画像データを記憶する画像データ記憶手段４と、画像データ記憶手段４に記憶された画像データに含まれる各画素の色を表す色情報をルックアップテーブルに基づいて変換する色情報変換手段５と、色情報変換手段５によって色情報が変換された画像データを画像表示する画像表示手段６と、画像表示手段６に画像表示された画像データを画像表示手段６に新たに画像表示させる画像データに変換するためのルックアップテーブルが生成できるか否かを判断するルックアップテーブル判断手段７と、ルックアップテーブルが生成できるとルックアップテーブル判断手段７によって判断されたときに、ルックアップテーブル記憶手段２に記憶されたルックアップテーブルをルックアップテーブル判断手段７によって生成できると判断されたルックアップテーブルに変更するルックアップテーブル変更手段８と、ルックアップテーブルが生成できないとルックアップテーブル判断手段７によって判断されたときに、画像データ記憶手段４に記憶された画像データを画像表示手段６に新たに画像表示させるための画像データに更新する画像データ更新手段９とを備えている。
【００１５】
ここで、図２を参照してルックアップテーブルについて説明する。ルックアップテーブルは、各色情報の入力値に対して１つの出力値が割り当てられているテーブルである。このルックアップテーブルが調整されると、色情報変換手段５によって画像データの色情報が変換され、画像表示手段６に表示される画像の色彩、彩度および明度等が調整され、コントラストの調整やガンマ補正等を行うことができる。
【００１６】
なお、本実施形態において、色情報は、赤成分（以下、単に「Ｒ」と記載する。）、緑成分（以下、単に「Ｇ」と記載する。）および青成分（以下、単に「Ｂ」と記載する。）の３つの成分よりなるものとする。
【００１７】
例えば、色情報変換手段５は、図２に示したルックアップテーブルの１行目に基づいて、ＲＧＢの各成分が全て「０００００（黒色を示す）」の色情報をＲＧＢの各成分が全て「１１１１１（白色を示す）」の色情報に変換する。
【００１８】
このように、ルックアップテーブルの出力値を変更することによって画像表示手段６に表示される画像の特定の色を他の色に変更することができる。
【００１９】
図１において、ルックアップテーブル記憶手段２は、ＲＡＭ（Random Access Memory）等の記憶媒体によって構成され、図２に示したように予め調整されたルックアップテーブル（以下、単に「ディフォルトテーブル」という。）が記憶されている。
【００２０】
画像データ記憶手段４は、ＶＲＡＭによって構成され、データバス３を介して送信された画像データを記憶するようになっている。
【００２１】
色情報変換手段５は、画像処理プロセッサによって構成され、画像表示手段６は、液晶ディスプレイなどの表示装置によって構成されている。色情報変換手段５は、画像データ記憶手段４に記憶された画像データを読み込み、読み込んだ画像データに含まれる色情報をルックアップテーブル記憶手段２に記憶されたルックアップテーブルに基づいて変換し、色情報を変換した画像データを画像表示手段６に出力することによって画像表示させるようになっている。
【００２２】
ルックアップテーブル判断手段７、ルックアップテーブル変更手段８および画像データ更新手段９は、ＣＰＵ等のプロセッサによって構成されている。
【００２３】
ルックアップテーブル判断手段７は、画像表示手段６に画像表示された画像データを画像表示手段６に新たに画像表示させる画像データに変換するためのルックアップテーブルが生成できるか否かを判断するようになっている。すなわち、ルックアップテーブル判断手段７は、画像表示手段６に表示された画像の特定の色を変更することで、次の画像を画像表示手段６に表示させることできるか否かを判断するようになっている。
【００２４】
具体的には、図３（ａ）に示すように、画像表示手段６に表示されている現画像と、画像表示手段６に新たに表示される次画像とが、文字の位置が同一で文字や背景の色が異なる場合、図３（ｂ）に示すように、現画像と次画像が、単一色で塗りつぶされ、塗りつぶされた色が異なる場合、または、図３（ｃ）に示すように、現画像の特定の色が、次画像では背景と同じ色である場合等に、ルックアップテーブル判断手段７は、ルックアップテーブルが生成できると判断する。
【００２５】
ルックアップテーブルが生成できるとルックアップテーブル判断手段７によって判断された場合には、ルックアップテーブル変更手段８は、ルックアップテーブル判断手段７によって生成できると判断されたルックアップテーブルをルックアップテーブル記憶手段２にデータバス３を介して送信することによって、ルックアップテーブル記憶手段２に記憶されたルックアップテーブルを変更するようになっている。
【００２６】
また、ルックアップテーブルが生成できるとルックアップテーブル判断手段７によって判断された場合には、画像データ更新手段９は、画像データ記憶手段４に記憶された画像データの更新を休止するようになっている。
【００２７】
例えば、画像表示手段６の画素数がＱＶＧＡ（Quarter Video Graphics Array）サイズ（２４０×３２０画素）、１画素辺りのＲＧＢの各色成分の階調数がそれぞれ５、６、５階調である場合には、1画面あたりのデータサイズは２４０×３２０×２＝１５３．６ｋＢｙｔｅとなり、ルックアップテーブルのデータサイズは２５＋２６＋２５＝１２８Ｂｙｔｅとなるので、ルックアップテーブルが生成できるとルックアップテーブル判断手段７によって判断された場合には、データバス３のトラフィックを約１／１２００に削減することができる。
【００２８】
一方、ルックアップテーブルが生成できないとルックアップテーブル判断手段７によって判断された場合には、ルックアップテーブル変更手段８は、ルックアップテーブル記憶手段２に記憶されたルックアップテーブルの変更を休止するようになっている。
【００２９】
また、ルックアップテーブルが生成できないとルックアップテーブル判断手段７によって判断された場合には、画像データ更新手段９は、新たに画像表示させるための画像データを画像データ記憶手段４にデータバス３を介して送信することによって、画像データ記憶手段４に記憶された画像データを更新するようになっている。
【００３０】
なお、ルックアップテーブル変更手段８は、ルックアップテーブルが生成できないとルックアップテーブル判断手段７によって判断された場合において、ルックアップテーブル記憶手段２に記憶されたルックアップテーブルがルックアップテーブル変更手段８によって変更されたものである場合、すなわち、ルックアップテーブル記憶手段２に記憶されたルックアップテーブルがディフォルトテーブルでない場合には、ルックアップテーブル変更手段８は、ディフォルトテーブルをルックアップテーブル記憶手段２にデータバス３を介して送信することによって、ルックアップテーブル記憶手段２に記憶されたルックアップテーブルを変更前のディフォルトテーブルに戻すようになっている。
【００３１】
以上のように構成された画像表示装置１において、図４を用いてその動作を説明する。図４は、画像表示装置１の動作説明のためのフロー図である。
【００３２】
まず、画像表示手段６に画像表示された画像データを画像表示手段６に新たに画像表示させる画像データに変換するためのルックアップテーブルが生成できるか否かがルックアップテーブル判断手段７によって判断される（Ｓ１）。
【００３３】
ルックアップテーブルが生成できるとルックアップテーブル判断手段７によって判断された場合には、ルックアップテーブル判断手段７によって生成できると判断されたルックアップテーブルが、ルックアップテーブル変更手段８によってデータバス３を介してルックアップテーブル記憶手段２に送信され、ルックアップテーブル記憶手段２に記憶されたルックアップテーブルが、ルックアップテーブル変更手段８によって送信されたルックアップテーブルに変更される（Ｓ２）。
【００３４】
また、ルックアップテーブルが生成できるとルックアップテーブル判断手段７によって判断された場合には、画像データ記憶手段４に記憶された画像データの更新が画像データ更新手段９によって休止される（Ｓ３）。
【００３５】
一方、ルックアップテーブルが生成できないとルックアップテーブル判断手段７によって判断された場合には、ルックアップテーブル記憶手段２に記憶されたルックアップテーブルの変更が、ルックアップテーブル変更手段８によって休止される（Ｓ４）。
【００３６】
また、ルックアップテーブルが生成できないとルックアップテーブル判断手段７によって判断された場合には、新たに画像表示させるための画像データが、画像データ更新手段９によってデータバス３を介して画像データ記憶手段４に送信され、画像データ記憶手段４に記憶された画像データが、画像データ更新手段９によって送信された画像データに更新される（Ｓ５）。
【００３７】
ここで、ルックアップテーブル記憶手段２に記憶されたルックアップテーブルがルックアップテーブル変更手段８によって変更したものであるか否か、すなわちルックアップテーブル記憶手段２に記憶されたルックアップテーブルがディフォルトテーブルであるか否かがルックアップテーブル変更手段８によって判断される（Ｓ６）。
【００３８】
ルックアップテーブル記憶手段２に記憶されたルックアップテーブルがディフォルトテーブルでないと判断された場合には、ディフォルトテーブルが、ルックアップテーブル変更手段８によってデータバス３を介してルックアップテーブル記憶手段２に送信され、ルックアップテーブル記憶手段２に記憶されたルックアップテーブルが、ディフォルトテーブルに戻される（Ｓ７）。
【００３９】
画像データ記憶手段４に記憶された画像データは、ルックアップテーブル記憶手段２に記憶されたルックアップテーブルに基づいて色情報変換手段５によって色情報が変換され（Ｓ８）、色情報が変換された画像データが、画像表示手段６に画像出力される（Ｓ９）。
【００４０】
上述した、画像表示装置１の動作は、画像表示手段６に画像表示するための各画像データに対して順次実行される。
【００４１】
このような本発明の一実施の形態の画像表示装置１によれば、新たに画像表示させるための画像データを更新する代わりにルックアップテーブルを変更することによって、画像データを伝送するデータバス３のトラフィックを低減させるため、装置を大型化することなく、製造コストをかけずに消費電力を低減することができる。
【産業上の利用可能性】
【００４２】
以上のように、本発明にかかる画像表示装置は、装置を大型化することなく、製造コストをかけずに消費電力を低減することができるという効果を有し、例えば、携帯電話等の携帯端末に搭載される画像表示装置等として有用である。
【図面の簡単な説明】
【００４３】
【図１】本発明の一実施の形態における画像表示装置のブロック図
【図２】本発明の一実施の形態における画像表示装置を構成するルックアップテーブル記憶手段に記憶されたルックアップテーブル
【図３】本発明の一実施の形態における画像表示装置を構成するルックアップテーブル判断手段による判断例を説明するための画像
【図４】本発明の一実施の形態における画像表示装置の動作説明のためのフロー図
【図５】従来の画像表示装置のブロック図
【符号の説明】
【００４４】
１  画像表示装置
２  ルックアップテーブル記憶手段
３  データバス
４  画像データ記憶手段
５  色情報変換手段
６  画像表示手段
７  ルックアップテーブル判断手段
８  ルックアップテーブル変更手段
９  画像データ更新手段
１１  画素アレイ部
１２、１３  アドレスデコーダ
１４  ＶＲＡＭ
１５  ＶＲＡＭコントローラ
１６  システムバス
１７  ＣＰＵ
１８  周辺回路
【図１】
2006189564.tif 000003
【図２】
2006189564.tif 000004
【図４】
2006189564.tif 000005
【図５】
2006189564.tif 000006
【図３】
2006189564.tif 000007